(57)【要約】      （修正有）【課題】簡単な操作で、内容物の不意な繰り出しを防止できる繰出容器を提供する。【解決手段】繰出容器本体Ａと、繰出容器本体に着脱自在に装着される蓋体Ｂとからなる繰出容器であって、繰出容器本体Ａは、筒状のケース本体Ａ１と、ケース本体内で回転不能かつ上下動可能に収容される中皿体Ａ４と、中皿体を上下動するための回転軸体Ａ２と、回転軸体と嵌合して回転させる回転操作体Ａ３とを備え、不使用時に、回転操作体を押し上げることにより、ケース本体の外周に設けられた複数の第１リブ８と回転操作体の内周に設けられた複数の第２リブ２３とが係合し、回転操作体の回転を不能とし、使用時に、回転操作体を押し下げることにより、第１リブと第２リブの係合が外れ、回転操作体の回転が可能となることを特徴とする。【選択図】図１
2020031874.tif 000002
【特許請求の範囲】
【請求項１】
繰出容器本体と、繰出容器本体に着脱自在に装着される蓋体とからなる繰出容器であって、
繰出容器本体は、筒状のケース本体と、ケース本体内で回転不能かつ上下動可能に収容される中皿体と、中皿体を上下動するための回転軸体と、回転軸体と嵌合して回転させる回転操作体とを備え、
ケース本体は、下部に縮径する縮径部を有する外周壁と、外周壁内周から連設される底壁とからなり、縮径部の外周に複数の第１リブが形成され、
回転操作体は、上部の操作筒部と下部の操作部とからなり、操作筒部の内周に複数の第２リブが形成され、
不使用時に、回転操作体を押し上げることにより、第１リブと第２リブとが係合し、リブ同士が噛み合って、ケース本体に対して回転操作体の回転を不能とし、
使用時に、回転操作体を押し下げることにより、第１リブと第２リブの係合が外れ、リブ同士の噛み合わせが解除されて回転操作体の回転が可能となることを特徴とする繰出容器。
【請求項２】
回転軸体は、外周に複数の嵌合部が突設される嵌合筒と、嵌合筒の上端内周に連設される頂板部と、頂板部の中央から起立する軸部とからなり、
嵌合部は、乗り越え突部と係合突部とからなり、
回転操作体は、縮径する操作部内周に内方向に下り勾配の斜面部とその下に複数の嵌合溝を有し、
不使用時には、嵌合溝内に乗り越え突部と係合突部が収まり、
使用時には、嵌合溝の上端部が、乗り越え突部を乗り越えて係合突部上端部に係合するとともに、係合突部のみが嵌合溝内に嵌合されることを特徴とする請求項１に記載の繰出容器。
【請求項３】
中皿体は、ケース本体の外周壁の内周で摺動する外筒と、外筒の内周下部に連設される皿底壁と、皿底壁の内縁に立設されるとともに、内周に雌ネジ部が螺設される内筒とからなり、
回転軸体は、軸部に中皿体の雌ネジ部に螺合される雄ネジ部を有することを特徴とする請求項２に記載の繰出容器。
【請求項４】
回転操作体の操作部外周に全周にわたって指掛け突部が突設されていることを特徴とする請求項１〜３のいずれかに記載の繰出容器。
【発明の詳細な説明】
【技術分野】
【０００１】
本発明は、繰出容器に関し、とくに、不用意に回転操作ができないようにした繰出容器に関するものである。
【背景技術】
【０００２】
棒状化粧料などの棒状の内容物を収納する筒状の容器として、ケース本体と回転軸体と、中皿体（収納皿）とを有し、蓋体を外した後、ケース本体を把持し、回転軸体を回転させることにより、ケース本体の口部から内容物をケース本体内の中皿体を介して繰り出して使用する繰出容器は従来から知られている。
【０００３】
また、ケース本体から回転軸体を回転させる操作部が露出している繰出容器の場合、ポケットやバッグの中で不意に回転して、内容物がケース本体から繰り出されて漏れて、周辺を汚してしまうという問題があり、そういった問題を解決するために、不用意に回転操作をできないようにした繰出容器も知られている（例えば、特許文献１参照）。
【先行技術文献】
【特許文献】
【０００４】
【特許文献１】特開２００３−１６９７１４号公報
【発明の概要】
【発明が解決しようとする課題】
【０００５】
上記特許文献１記載の繰出容器は、第１実施形態と第２実施形態の２通りの手法が記載され、第１実施形態では、回転操作筒の上部の操作部となるフランジとその下部のローレットがケース本体内に隠され、容器の使用にあたって、フランジを持って上方に引き上げることで、ケース本体の上端からローレットを露出させ、次にローレットを持って回転させて収納皿を上昇させ、化粧料を繰り出すものである。
また、第２実施形態では、回転操作筒がケース本体の下部に露出されて設けられ、不使用状態では、圧縮ばねによって、回転操作筒がケース本体の最下端から離れた位置に押し下げられ、回転操作筒とねじ軸体の係合が外されて、回転操作筒の操作部を回転させても空転するようになっており、化粧料を繰り出すには、ケース本体を持って、回転操作筒を圧縮ばねの作用に抗してケース本体内に押し込んで、回転操作筒とねじ軸体とを係合し、その状態で操作部を回転させることで、収納皿を上昇させて、化粧料を繰り出すことができるというものである。
【０００６】
上記特許文献１記載の手法は、第１実施形態では、フランジを持って回転操作筒をケース本体から大きく引き上げて露出させなければならず、フランジが小さいと引き上げるのが大変であり、また、第２実施形態では、圧縮ばねの作用に抗して、回転操作筒を押し上げ、押し上げながら回転するというもので、いずれも操作する上でかなりの力を必要とするという問題点があり、特に第２実施形態では、押し込み状態で回転しなければならず、押し込みが弱いと係合が外れて回転できなくなるという問題点があった。
さらに、第１実施形態ではフランジがケース本体から飛び出しており、また、第２実施形態では、不使用状態では、圧縮ばねの作用でケース本体の最下部と回転操作筒との間が離れた状態にあり、それぞれ見栄えがよくないという外観上の問題点があった。
【０００７】
本発明は、上記問題を解決することを課題とし、操作部が露出して設けられていても、操作がきわめて簡単であり、外観上も問題がなく、内容物の不意な繰り出しを防止できる繰出容器を提供することを目的とする。
【課題を解決するための手段】
【０００８】
本発明は、上記の課題を解決するため、繰出容器として、繰出容器本体と、繰出容器本体に着脱自在に装着される蓋体とからなる繰出容器であって、繰出容器本体は、筒状のケース本体と、ケース本体内で回転不能かつ上下動可能に収容される中皿体と、中皿体を上下動するための回転軸体と、回転軸体と嵌合して回転させる回転操作体とを備え、ケース本体は、下部に縮径する縮径部を有する外周壁と、外周壁内周から連設される底壁とからなり、縮径部の外周に複数の第１リブが形成され、回転操作体は、上部の操作筒部と下部の操作部とからなり、操作筒部の内周に複数の第２リブが形成され、不使用時に、回転操作体を押し上げることにより、第１リブと第２リブとが係合し、リブ同士が噛み合って、ケース本体に対して回転操作体の回転を不能とし、使用時に、回転操作体を押し下げることにより、第１リブと第２リブの係合が外れ、リブ同士の噛み合わせが解除されて回転操作体の回転が可能となることを特徴とする構成を採用する。
【０００９】
繰出容器本体の実施形態として、回転軸体は、外周に複数の嵌合部が突設される嵌合筒と、嵌合筒の上端内周に連設される頂板部と、頂板部の中央から起立する軸部とからなり、嵌合部は、乗り越え突部と係合突部とからなり、回転操作体は、縮径する操作部内周に内方向に下り勾配の斜面部とその下に複数の嵌合溝を有し、不使用時には、嵌合溝内に乗り越え突部と係合突部が収まり、使用時には、嵌合溝の上端部が、乗り越え突部を乗り越えて係合突部上端部に係合するとともに、係合突部のみが嵌合溝内に嵌合されることを特徴とする構成、中皿体は、ケース本体の外周壁の内周で摺動する外筒と、外筒の内周下部に連設される皿底壁と、皿底壁の内縁に立設されるとともに、内周に雌ネジ部が螺設される内筒とからなり、回転軸体は、軸部に中皿体の雌ネジ部に螺合される雄ネジ部を有することを特徴とする構成、また、回転操作体の操作部外周に全周にわたって指掛け突部が突設されていることを特徴とする構成を採用する。
【発明の効果】
【００１０】
本発明の繰出容器は、上記構成を有することで、流通・保管時には回転操作体をケース本体側に押し込むことで、ケース本体と回転操作体のリブが噛み合い、回転操作体を回転不能とし、内容物の不意な繰り出しを防止できるとともに、使用時には、回転操作体を引っ張ることで、ケース本体と回転操作体のリブ同士の係合が外れ、回転操作体が回転可能となって、容易に内容物の繰り出しができる。
【図面の簡単な説明】
【００１１】
【図１】本発明の繰出容器に棒状化粧料を充填した状態を示す図であり、（ａ）は半断面側面図で、（ｂ）は（ａ）のＸ−Ｘ線矢視断面図である。
【図２】（ａ）は、図１（ａ）の要部拡大図で、（ｂ）は、図１（ｂ）の要部拡大図で、（ｃ）は、図２（ａ）のリブの噛み合わせ部分を中側から見た模式図である。
【図３】本発明の繰出容器を使用時に回転操作体を引っ張って押し下げた状態を示す図であり、（ａ）は繰出容器の一部半断面側面図で、（ｂ）は下面図で、（ｃ）は（ａ）のＹ−Ｙ線矢視断面図である。
【図４】（ａ）は、図３（ａ）の要部拡大図で、（ｂ）は、図３（ｃ）の要部拡大図で、（ｃ）は、図３（ａ）のリブの噛み合わせが解除された状態を示す模式図である。
【図５】本発明の繰出容器を使用時に回転操作体を回転し始める状態を示す図であり、（ａ）は繰出容器の半断面側面図で、（ｂ）は下面図である。
【発明を実施するための形態】
【００１２】
次に、本発明の繰出容器について、内容物を棒状化粧料とした実施例を示した図面を参照して説明する。
【実施例】
【００１３】
図１において、Ａは繰出容器本体、Ｂは繰出容器本体Ａの上部に着脱自在に装着される蓋体である。
繰出容器本体Ａは、図１（ａ）に示すように、筒状のケース本体Ａ１と、棒状化粧料Ｃを保持し、外周がケース本体Ａ１内に回転不能かつ上下動可能に収容される中皿体Ａ４と、中皿体Ａ４を上下動する回転軸体Ａ２と、回転軸体Ａ２下部で嵌合し、回転軸体Ａ２を回転させる回転操作体Ａ３とから構成されている。
【００１４】
ケース本体Ａ１は、図１（ａ）に示すように、筒状の外周壁１と、外周壁１の下端から所定の高さ上方に形成され、内方が開口するリング状の底壁２とからなり、外周壁１の上端部外周は縮径され、外周に蓋体Ｂの下部が装着される蓋装着部３が形成されている。
また、外周壁１の下端部外周も同様に縮径され、外周に回転操作体Ａ３の上部が装着されるように縮径部６が形成されている。
底壁２には、内縁に、内方に向かい上昇する係止突片７が周方向に複数配設されている。
【００１５】
外周壁１内周には、上端から下方に向かい所定の高さまで延び、中皿体Ａ４を回転不能に案内する案内リブ４が複数突設され、案内リブ４下端から底壁２との間は、図２（ａ）に示すシール面５となっている。
【００１６】
縮径部６の下端部外周には、図２（ｂ）に示すように、後述する回転操作体Ａ３の第２リブ２３と噛み合うように縦状の第１リブ８が複数形成されており、流通・保管など不使用時には第１リブ８と第２リブ２３とが噛み合って回転操作体Ａ３が回転しないようになっている。
【００１７】
回転軸体Ａ２は、筒状の嵌合筒１０と、嵌合筒１０の上端内周に連設される頂板部１１と、頂板部１１の中央から起立する軸部１２とからなっている。
【００１８】
嵌合筒１０の外周には、回転操作体Ａ３を引き下げたときに、後述する回転操作体Ａ３に嵌合する複数の嵌合部１３が突設されている。
嵌合部１３は、後述する回転操作体Ａ３の嵌合溝２６内に収まるように、乗り越え突部１３ａと、その下の係合突部１３ｂとから形成されている。
乗り越え突部１３ａの上面は回転操作体Ａ３の内周面が乗り越えやすくするために曲面に施されており、また、係合突部１３ｂの下端部は、繰出容器本体Ａの組み立ての際に回転操作体Ａ３の内周面が乗り越えやすくするためにテーパーが施されている。
【００１９】
軸部１２は、外周下部に下端から所定の高さ離れた箇所に抜止突部１５が周設され、抜止突部１５の上方に所定の高さのシール面１６を形成し、シール面１６の上方に上端付近まで延びる雄ネジ部１７が螺設されている。
また、軸部１２の外周の下端部から抜止突部１５との間は、繰出容器本体Ａの組み立て時に、ケース本体Ａ１の底壁２のそれぞれの係止突片７の先端部が当接し、回転軸体Ａ２がケース本体Ａ１に対して回転自在であるとともに、上下動しないように装着させる係止部１８となっている。
【００２０】
回転操作体Ａ３は、ケース本体Ａ１の上部の縮径部６に装着される上部の操作筒部２０と、縮径され、回転軸体Ａ２と嵌合して回転操作を担う下部の操作部２１とからなっている。
操作筒部２０の内周下部には、ケース本体Ａ１の縮径部６の下端部外周に形成される第１リブ８に噛み合うように第２リブ２３が複数形成されている。
本実施例では、図１（ｂ）に示すように、第１リブ８と第２リブ２３はそれぞれ１８本形成され、不使用時には噛み合って、回転操作体Ａ３が回転しないようになっている。
なお、リブの数はケース本体の大きさ等により適宜変えることができる。
また、ケース本体Ａ１の第１リブ８と回転操作体Ａ３の第２リブ２３は、回転操作体Ａ３を押し込んで係合させて、噛み合わせるため、図２（ｃ）に示すように、第１リブ８の下端部および第２リブ２３の上端部には、それぞれの先端部にテーパーを施して、第１テーパー部９と第２テーパー部２４がそれぞれ形成されている。
【００２１】
操作部２１の内周には、内方向に下り勾配の斜面部２５を設け、その下には嵌合溝２６が操作部２１の下端まで複数形成されており、図２（ａ）に示すように、不使用時には、嵌合溝２６内に回転軸体Ａ２の嵌合部１３の乗り越え突部１３ａおよび係合突部１３ｂが収まっており、嵌合溝２６の上端部２６ａは、嵌合筒１０の乗り越え突部１３ａ上端部に近接あるいは軽く当接し、第１リブ８と第２リブ２３との係合とともに、回転操作体Ａ３が不用意にずり落ちないようになっている。
また、使用時に回転操作体Ａ３を押し下げる際には、図４（ａ）に示すように、嵌合溝２６の上端部２６ａは、回転軸体Ａ２の嵌合部１３の乗り越え突部１３ａを乗り越え、係合突部１３ｂ上端部に係合して回転操作体Ａ３がそれ以上下げられないようになっており、その際、第１リブ８と第２リブ２３との係合が外れて噛み合わせが完全に解除され、回転操作体Ａ３の回転が可能となる。
【００２２】
操作部２１の下部外周には、指が掛け易くなるように指掛け突部２７が全周にわたって突設されている。
指掛け突部２７は、使用時に回転操作体Ａ３を引っ張ったり、回転させる際に用いられる。
なお、指掛け突部２７は、全周でなくても、複数間欠的に設けるものであってもよい。
【００２３】
中皿体Ａ４は、図１に示すように、ケース本体Ａ１の外周壁１の内周で上下に摺動する外筒３０と、外筒３０の内周下部に連設されるリング状の皿底壁３１と、皿底壁３１の内縁に立設され、内周が回転軸体Ａ２と螺合する内筒３２とからなっている。
また、中皿体Ａ４は、外筒３０の内周に棒状化粧料Ｃの下部を装着するようになっている。
【００２４】
外筒３０の外周には、上端から所定の高さまで延び、ケース本体Ａ１の外周壁１の案内リブ４と係合し、中皿体Ａ４がケース本体Ａ１に対して回転することを防止する案内溝３３が案内リブ４と同数で複数凹設されている。
また、外筒３０の外周の下端部面は、中皿体Ａ４をケース本体Ａ１に対して最下降させた際に、外周壁１のシール面５に密接しシールするようになっている。
【００２５】
上述した実施例では、ケース本体Ａ１の外周壁１に案内リブ４を突設し、中皿体Ａ４の外筒３０に案内溝３３を凹設したが、互いに係合して中皿体Ａ４がケース本体Ａ１に対して上下動可能であるとともに回転することを防止することができればよいので、ケース本体Ａ１の外周壁１の内周に案内溝を凹設し、中皿体Ａ４の外筒３０の外周に案内リブを突設するようにしてもよい。
【００２６】
内筒３２の内周には、上端から所定の高さまで延び、回転軸体Ａ２の軸部１２の雄ネジ部１７と螺合する雌ネジ部３４が螺設されている。
また、内筒３２の内周の下端部面は、中皿体Ａ４をケース本体Ａ１に対して最下降させた際に、回転軸体Ａ２の軸部１２のシール面１６に密接しシールするようになっている。
【００２７】
蓋体Ｂは、図１に示すように、頂壁３５と、頂壁３５の外縁から垂設されるとともに、外径がケース本体Ａ１の外周壁１の外径とほぼ等しい筒状の側周壁３６とからなり、側周壁３６の内周が外周壁１の蓋装着部３の外周に嵌合するように形成されている。
【００２８】
次に、本実施例の使用態様と作用効果について図面を参照しながら説明する。
繰出容器本体Ａを組み立て工場のライン等で自動的あるいは半自動的に組み立てる際には、まず、回転軸体Ａ２の嵌合筒１０を、回転操作体Ａ３の下方の操作部２１の開口から装着させる。
嵌合筒１０の乗り越え突部１３ａおよび係合突部１３ｂを回転操作体Ａ３の嵌合溝２６に合わせて回転軸体Ａ２を上昇させていくと、乗り越え突部１３ａが嵌合溝２６の上端部２６ａに当接するが、さらに上昇させていくと乗り越え突部１３ａが嵌合溝２６の上端部２６ａを乗り越え、係合突部１３ｂの上端部と嵌合溝２６の上端部２６ａとが係合し、回転軸体Ａ２は回転操作体Ａ３に嵌合される。
【００２９】
次に、ケース本体Ａ１の底壁２の開口の下方から、回転操作体Ａ３と一体化した回転軸体Ａ２の軸部１２の先端を挿入し、回転軸体Ａ２をケース本体Ａ１に装着させると、回転操作体Ａ３の操作筒部２０の上部がケース本体Ａ１の縮径部６の上面を通って進み、図４（ａ）および図４（ｃ）に示すように、ケース本体Ａ１の第１リブ８の下端部と回転操作体Ａ３の第２リブ２３の上端部が近接する。
【００３０】
その際、回転軸体Ａ２の軸部１２の抜止突部１５が、ケース本体Ａ１の底壁２のそれぞれの係止突片７の先端部に当接して上方に押し上げ、係止突片７を変形させて乗り越えさせ、ケース本体Ａ１の底壁２のそれぞれの係止突片７の先端部が軸部１２の係止部１８に当接することにより、回転軸体Ａ２がケース本体Ａ１に回転自在かつ上下動不能に装着される。
【００３１】
次に、ケース本体Ａ１の上方から、中皿体Ａ４を挿入し、中皿体Ａ４の外筒３０の案内溝３３とケース本体Ａ１の外周壁１の案内リブ４とを係合させ、中皿体Ａ４をケース本体Ａ１に対して回転しないようにするとともに、中皿体Ａ４の内筒３２内に回転軸体Ａ２の軸部１２を挿入させてセットした後、回転軸体Ａ２を自動セット機により螺合方向に回転させることで、内筒３２の雌ネジ部３４と軸部１２の雄ネジ部１７との螺合により、中皿体Ａ４をケース本体Ａ１に対して降下させる。
【００３２】
中皿体Ａ４をケース本体Ａ１に対して最下降させたところで、回転軸体Ａ２の回転を止める。
その際、ケース本体Ａ１の外周壁１内周のシール面５と中皿体Ａ４の外筒３０の外周の下端部面、および、中皿体Ａ４の内筒３２の内周の下端部面と回転軸体Ａ２の軸部１２外周のシール面１６が、それぞれ密接してシールされる。
【００３３】
次に、回転操作体Ａ３を押し上げると、図２に示すように、嵌合溝２６の上端部２６ａは回転軸体Ａ２の乗り越え突部１３ａを乗り越え、乗り越え突部１３ａおよび係合突部１３ｂはともに、嵌合溝２６内に収まるとともに、回転操作体Ａ３の第２リブ２３がケース本体Ａ１の第１リブ８に係合し、第１リブ８と第２リブ２３が噛み合って、回転操作体Ａ３は回転不能になる。
最後に、図１に示すように、化粧料をケース本体Ａ１の外周壁１内方に上方から充填させることで、棒状化粧料Ｃを収納した繰出容器本体Ａとなる。
【００３４】
以上、説明したように、本実施例では、繰出容器本体Ａを組み立て工場のライン等で自動的あるいは半自動的に組み立てる工程として、まず、回転軸体Ａ２を回転操作体Ａ３に装着後、そのまま回転軸体Ａ２をケース本体Ａ１に装着させた後、ケース本体Ａ１内に中皿体Ａ４を挿入してセットし、回転軸体Ａ２を自動セット機により螺合方向に回転させて中皿体Ａ４をケース本体Ａ１に対して最下降させた後に、ケース本体Ａ１と回転操作体Ａ３とのそれぞれのリブ同士を係合させて繰出容器本体Ａを組み立てるようにしている。
組み上がった繰出容器本体Ａは、前述のように化粧料を充填した後、ケース本体Ａ１に蓋体Ｂを装着することで、容器内を密閉して閉蓋される。
【００３５】
棒状化粧料Ｃを使用する際には、蓋体Ｂを繰出容器本体Ａから外した後、図３および図４に示すように、ケース本体Ａ１を手指等で把持して固定し、回転操作体Ａ３の指掛け突部２７を指に掛けて下方に引っ張ると、回転操作体Ａ３が押し下げられ、嵌合溝２６の上端部２６ａが回転軸体Ａ２の嵌合部１３の乗り越え突部１３ａを乗り越え、係合突部１３ｂ上端部に係合して回転操作体Ａ３はそれ以上下げることができなくなるとともに、係合突部１３ｂは嵌合溝２６内に嵌合される。
その際、ケース本体Ａ１の第１リブ８と回転操作体Ａ３の第２リブ２３との係合が外され、リブ同士の噛み合わせが解除されるので、回転操作体Ａ３が回転可能になる。
【００３６】
次に、回転操作体Ａ３の指掛け突部２７に添えられた指で、図５に示すように、そのまま回転操作体Ａ３を時計回りに回転させると、回転操作体Ａ３に嵌合する回転軸体Ａ２も同様に回転する。
回転軸体Ａ２の回転により、回転軸体Ａ２の雄ネジ部１７と、ケース本体Ａ１とともに回転しない中皿体Ａ４の内筒３２の雌ネジ部３４との螺合により、中皿体Ａ４がケース本体Ａ１内で上昇し、棒状化粧料Ｃをケース本体Ａ１の外周壁１の開口から任意の高さで繰り出されるので、回転操作体Ａ３の回転を止め、棒状化粧料Ｃを使用することができる。
【００３７】
使用後は、回転操作体Ａ３を使用時と逆回転させることで、繰り出された棒状化粧料Ｃを元に戻し、次いで蓋体Ｂをケース本体Ａ１に装着して閉蓋した後、回転操作体Ａ３を押し上げ、図２に示すように、回転操作体Ａ３の嵌合溝２６の上端部２６ａが回転軸体Ａ２の嵌合部１３の乗り越え突部１３ａを乗り越え、回転操作体Ａ３の第２リブ２３がケース本体Ａ１の第１リブ８に係合することで、リブ同士が噛み合い、回転操作体Ａ３は回転不能となり、不意な繰り出しを防止することができる。
【００３８】
なお、回転操作体Ａ３を左回転して棒状化粧料Ｃを繰り出したが、回転操作体Ａ３を固定してケース本体Ａ１を右回転させても同様に棒状化粧料Ｃを繰り出しが可能である。
また、回転軸体の回転方向を規制するラチェット機構などを用いて中皿体の繰り下がりを防止することも可能であり、さらに、繰り出し機構自体として本実施例以外の他の繰り出し機構を採用することも可能である。
本実施例では、内容物として棒状化粧料としたが、固形糊などの文房具や、食品などの棒状のものであればどのような内容物にも使用可能である。
【産業上の利用可能性】
【００３９】
本発明の繰出容器は、流通・保管時は回転操作体を押し込んで、ケース本体と回転操作体のリブ同士が噛み合うようにして、回転操作体を回転不能にするとともに、回転操作体を引っ張って押し下げれば、回転可能となって使用できるようになり、簡単な操作で内容物の不意な繰り出しを防止できる繰出容器として好適に利用できる。
【符号の説明】
【００４０】
Ａ              繰出容器本体
Ａ１            ケース本体
Ａ２            回転軸体
Ａ３            回転操作体
Ａ４            中皿体
Ｂ              蓋体
Ｃ              棒状化粧料
１              外周壁
２              底壁
３              蓋装着部
４              案内リブ
５、１６        シール面
６              縮径部
７              係止突片
８              第１リブ
９              第１テーパー部
１０              嵌合筒
１１              頂板部
１２              軸部
１３              嵌合部
１３ａ            乗り越え突部
１３ｂ            係合突部
１５              抜止突部
１７              雄ネジ部
１８              係止部
２０              操作筒部
２１              操作部
２３              第２リブ
２４              第２テーパー部
２５              斜面部
２６              嵌合溝
２６ａ            上端部
２７              指掛け突部
３０              外筒
３１              皿底壁
３２              内筒
３３              案内溝
３４              雌ネジ部
３５              頂壁
３６              側周壁
【図１】
2020031874.tif 000003
【図２】
2020031874.tif 000004
【図３】
2020031874.tif 000005
【図４】
2020031874.tif 000006
【図５】
2020031874.tif 000007